(57)【特許請求の範囲】
【請求項１】
コルゲートパイプにシール面を設けるために、コルゲートパイプに装着されるコルゲートパイプアダプタであって、
ほぼ平滑な外側クランプ面を有するほぼ円筒形のスリーブと、
前記ほぼ円筒形のスリーブの内側から延びる少なくとも一つの突起部であって、前記少なくとも一つの突起部が、傾斜した側壁と該側壁間に弓形の構造部とを備え、前記弓形の構造部が前記クランプ面の内側へ弓形になることから、前記ほぼ平滑な外側クランプ面に、前記弓形の構造部の反対側から加えられた圧力が前記突起部を前記コルゲートパイプのコルゲーションに対して楔状に押し込むことを特徴とするコルゲートパイプアダプタ。
【請求項２】
前記少なくとも一つの突起部が、前記コルゲートパイプの前記コルゲーションの中に部分的に延びていることを特徴とする、請求項１記載のコルゲートパイプアダプタ。
【請求項３】
前記コルゲートパイプアダプタが、中実断面を有することを特徴とする、請求項１記載のコルゲートパイプアダプタ。
【請求項４】
前記ほぼ円筒形のスリーブと前記少なくとも一つの突起部が、中程度の硬さのゴムで作られていることを特徴とする、請求項１記載のコルゲートパイプアダプタ。
【請求項５】
前記少なくとも一つの突起部が、複数の突起部を備え、前記突起部の各々は前記コルゲートパイプの前記コルゲーション間に位置するように適合されることを特徴とする、請求項１記載のコルゲートパイプアダプタ。
【請求項６】
コルゲートパイプにシール面を設けるために、コルゲートパイプに装着されるコルゲートパイプアダプタであって、
ほぼ平滑な外側クランプ面を有するほぼ円筒形のスリーブと、
前記ほぼ円筒形のスリーブの内側から延びる複数の突起部であって、傾斜する側壁と、該傾斜する側壁間に弓形の構造部とを有し、前記複数の突起部の各々は前記コルゲートパイプのコルゲーション間に位置するように適合された突起部とを備え、前記各弓形の構造部が前記クランプ面の内側へ弓形になることから、前記ほぼ平滑な外側クランプ面に前記弓形の構造部の反対側から加えられた圧力が前記突起部を前記コルゲートパイプの前記コルゲーションに対して楔状に押し込むことを特徴とするコルゲートパイプアダプタ。
【請求項７】
前記ほぼ円筒形のスリーブ及び前記複数の突起部が、中程度の硬さのゴムで作られていることを特徴とする、請求項６記載のコルゲートパイプアダプタ。
【請求項８】
前記コルゲートパイプアダプタが、中実断面を有することを特徴とする、請求項６記載のコルゲートパイプアダプタ。
【請求項９】
前記複数の突起部の各々が、前記コルゲートパイプの前記コルゲーションの間の溝の中に部分的に延びていることを特徴とする、請求項６記載のコルゲートパイプアダプタ。
【請求項１０】
コルゲートパイプ結合システムであって、
コルゲートパイプと、
前記コルゲートパイプに装着されたコルゲートパイプアダプタとを備え、
該コルゲートパイプアダプタが、ほぼ平滑な外側クランプ面を有するほぼ円筒形のスリーブと、
前記ほぼ円筒形のスリーブの内側から延びる少なくとも一つの突起部であって、傾斜した側壁と、該側壁間に弓形の構造部とを有する、突起部とを有し、
前記コルゲートパイプに装着された前記コルゲートアダプタの前記クランプ面で位置決めをするためのブーツと、
前記ブーツをほぼ平滑な外側クランプ面に固定するクランプ機構とを備え、前記弓形の構造部が前記クランプ面の内側へ弓形になることから、前記クランプ機構によって前記ほぼ平滑な外側クランプ面に、前記弓形の構造部の反対側から加えられた圧力が、前記突起部を前記コルゲートパイプのコルゲーションに対して楔状に押し込むことを特徴とするコルゲートパイプ結合システム。
【請求項１１】
前記少なくとも一つの突起部が、前記コルゲートパイプの前記コルゲーションの中に部分的に延びていることを特徴とする、請求項１０記載のコルゲートパイプ結合システム。
【請求項１２】
前記コルゲートパイプアダプタが、中実断面を有することを特徴とする、請求項１０記載のコルゲートパイプ結合システム。
【請求項１３】
前記少なくとも一つの突起部が、複数の突起部を備え、前記突起部の各々は前記コルゲートパイプの前記コルゲーション間に位置するように適合されることを特徴とする、請求項１０記載のコルゲートパイプ結合システム。
【請求項１４】
少なくとも一つのシール要素が、更に、前記ほぼ円筒形のスリーブの内側シール面から突き出ていることを特徴とする、請求項１記載のコルゲートパイプアダプタ。
【請求項１５】
少なくとも一つのシール要素が、更に、前記ほぼ円筒形のスリーブの内側シール面から突き出ていることを特徴とする、請求項６記載のコルゲートパイプアダプタ。
【請求項１６】
少なくとも一つのシール要素が、更に、前記コルゲートパイプアダプタの内側シール面から突き出ていることを特徴とする、請求項１０記載のコルゲートパイプ結合システム。
【発明の詳細な説明】
【０００１】
関連出願
本出願は、ここですべて援用されている、１９９９年１０月２７日出願の米国仮出願、出願番号６０／１６１，８６１の特典を主張している。
【０００２】
発明の分野
本発明は、パイプ用のアダプタ、特に平滑な外側の面が設けられたコルゲートパイプアダプタに関する。
発明の背景
下水道システムでパイプをマンホールに結合するには様々の手段がある。一つのそのような手段は、米国特許第３、９５８、３１３号に詳細に開示されている。この手段によれば、柔軟なブーツがパイプの自由端の上に滑るように嵌められ、外側のクランプがそのブーツをパイプに押しつけてブーツとパイプを密封する。ブーツの他端は、マンホールの立ち上がり管の開口部に密封される。これらのブーツはパイプを他のパイプのような他の構造物に固定し密封するのにも使われることができる。
【０００３】
最初、これらのブーツは完全に平滑なパイプ（例えばＰＶＣパイプ）又は半平滑なパイプ（例えばコンクリートパイプ）に使われた。しかしながら、コルゲート外面を有する新しいタイプのパイプが開発され、しばしばコルゲートポリエチレンと呼ばれてきた。パイプの外側の面のコルゲーションやリブは、標準のブーツ結合を妨げる。それ故に、例えば、標準ブーツが使える平滑な外側の面が設けられたアダプタの必要性が生じてきた。
【０００４】
コルゲートパイプ間の結合に樹脂やゴム製のアダプタが設計されたが、これらの樹脂やゴム製のアダプタは特に経済的ではなく、しばしば取付けが困難である。従来の一つのコルゲートパイプアダプタ１０を図１に示す。このコルゲートアダプタ１０は、ほぼ円筒形で、中空断面を有する環状の突起部又はリブ１２を備えている。リブ１２は、コルゲートパイプ２０のコルゲーション２２の間にきつく嵌まっている。しかしながら、きつい嵌まりと比較的硬い材質のために、この従来技術のコルゲートパイプアダプタ１０は、取付けが困難である。中空断面のために、この従来技術のコルゲートパイプアダプタ１０は、継ぎ合わせることもまた困難である。更に、中空断面を成形するための必要な型がアダプタをより高価なものにしている。
【０００５】
別のタイプのアダプタが図２に示され、米国特許第５，１８０，１９６号に開示されている。このアダプタ１４は、リブ付導管１５に用いられ、ウルトラ−リブという名で知られている。このアダプタ１４は、中実断面でリブ付導管１５の突き出たリブ１８間に延びた多数の突起部１６を有する。しかしながら、このアダプタ１４はポリエチレンコルゲートパイプに使うようには設計されていない。このアダプタはまた、（図２に示すように、）アダプタを反転させ取付位置に転がすことにより取付けなければならない。
【０００６】
従って、より安価で、より容易にコルゲートパイプ上に引っ張って取付け、継ぎ合わされるコルゲートパイプアダプタの必要性が生じている。
発明の概要
本発明は、ほぼ平滑な外側クランプ面を有するほぼ円筒形のスリーブと、スリーブの内面から延びた一つ又はそれ以上の突起部を備えたコルゲートパイプアダプタを特徴とする。コルゲートパイプアダプタは、中実断面を有することが好ましく、各突起部はコルゲートパイプのコルゲーション間の溝の中に好ましくは部分的に延びている側壁を有する。各突起部は、弓形の形状で傾斜した側壁を有することが好ましい。
【０００７】
本発明はまた、ほぼ平滑な外側クランプ面を有するほぼ円筒形のスリーブと、ほぼ円筒形のスリーブの内側から延びた少なくとも２個の部分的突起部とからなるコルゲートパイプアダプタを特徴とする。部分的突起部は、コルゲートパイプの一つのコルゲーションの両側に位置するように適合された少なくとも２個の側壁を有する。ほぼ円筒形のスリーブは、一つ又はそれ以上の突き出たシール要素を備える内側のシール面を有することができる。
【０００８】
本発明はまた、ブーツとクランプ機構に結合して使われるコルゲートパイプアダプタを備えたシステムを特徴とし、それによりクランプ機構がコルゲートパイプアダプタのほぼ平滑な外側クランプ面にブーツを固定する。コルゲートパイプアダプタに加えられた圧力が、側壁をコルゲートパイプのコルゲーションに対して外側へ動かす。
【０００９】
好ましい実施例の説明
本発明の特徴と利点を以下の添付図面で詳細に説明する。
図３において、本発明によるコルゲートパイプアダプタ３０は、外面に多数のコルゲーション２２を有するコルゲートパイプ２０に用いられる。コルゲートパイプ２０は特別な形状のコルゲーション２２を有するが、本発明によるコルゲートパイプアダプタ３０は、別のタイプのコルゲーション又はリブが外面にあるパイプに用いることができる。
【００１０】
コルゲートパイプアダプタ３０は、ほぼ平滑な外側クランプ面３４を有するほぼ円筒形のボデー部分又はスリーブ３２を備えている。少なくとも一つの突起部又はリブ３６がコルゲーション２２の間でボデー部分３２から内側へ延びているが、コルゲーション２２の間の溝２４に完全に延びてしまわないことが好ましい。コルゲートパイプアダプタ３０は、パイプ２０の端部に伸びることができるような小さい断面と引っ張り応力で設計されることが好ましい。コルゲートパイプアダプタ３０は、中程度（例えばショア硬さＡ４０−５０）の硬さのゴムで作られることが好ましい。このタイプのゴムで、コルゲートパイプアダプタ３０をコルゲーション２２の上に引っ張ることができる。
【００１１】
突起部又はリブ３６は、傾斜した壁３８と弓形のセンタ部３９を備えるのが好ましく、コルゲートパイプアダプタ３０をパイプ２０の曲がった表面を軸方向に引っ張り又は引きずることで取付けが容易である。弓形の形状を用いると所要の硬さが得られ、取付けが困難な硬度の高いゴムを使う必要がない。コルゲートパイプアダプタ３０は、パイプ２０の端部に、アダプタ３０を軸方向にコルゲート一山分引っ張りスライドさせて取付けることができる。本発明によるコルゲートパイプアダプタ３０は、アダプタ３０をその背面で反転させるような特殊な取付方法を必要としない。
【００１２】
使用時には、図４に示すコネクタであるホースクランプ４０又は他の同様なクランプ機構がブーツ４２をコルゲートパイプアダプタ３０の外面３４に締め付ける。コルゲートパイプアダプタ３０の断面は、ホースクランプ４０によって生じる曲げ力に逆らってブリッジとして作用する位硬いことが好ましい。クランプ４０によって力が加えられるとき（図４に示されるように）、弓形のセンタ部３９は傾斜する壁３８にその力をコルゲーション２２に対し外側へ分布させ、それにより突起部又はリブ３６をコルゲーション２２の間に楔状に押し込み防水シールを形成する。取付時には、コルゲートパイプアダプタ３０はパイプ２０の外径よりも約１／４インチ出ているだけである。パイプ２０はこのようにして、たいていの取付けで標準のコネクタとマンホールに用いることができ、使用者が次のもっと大きいサイズに移る必要がない。
【００１３】
一例では、コルゲートパイプアダプタ３０はゴムの引き抜きで作られ、所定の直径のリングに接着又は加硫して作られる。パイプ２０の断面はメーカーや各直径によって異なるので、コルゲートパイプアダプタ３０の断面及び突起部又はリブ３６は異なった設計とすることができる。コルゲートパイプアダプタ３０を用いることができるコルゲートパイプは、オハイオ州フィンドレーのハンコー社、オハイオ州コロンバスのＡＤＳによって作られている。
【００１４】
他の実施例では、図５に示す小さい径のコルゲートパイプ用に設計されたコルゲートパイプアダプタ５０は、多数の突起部又はリブ５２を備える。２個の突起部又はリブ５２が示されているが、コルゲートパイプアダプタ５０は突起部又はリブを幾つ備えてもよい。更に別の実施例では、図６に示す大きい径のコルゲートパイプ用に設計されたコルゲートパイプアダプタ６０は、一つのコルゲーション６４の各側面に部分的突起部又はリブ６２を備える。これらのパイプアダプタ５０、６０は一般に前述と同様の方法で取付けることができる。
【００１５】
図７に示す更に別の実施例であるコルゲートパイプアダプタ７０は、シール要素（細い帯又はリップ）７２を備えている。コルゲーション６４の上側の面が粗く作られていても、シール要素７２がコルゲートパイプアダプタ７０とコルゲーション６４との間の密封性を向上させる。シール要素が大きいサイズのコルゲートパイプ用に設計されたコルゲートパイプアダプタ７０に示されているが、シール要素は他のコルゲートパイプアダプタ３０、５０に用いることができる。密封性を得るためには、代わりに、密封剤を用いることができる。
【００１６】
従って、本発明はコルゲートパイプのコルゲーションの上に容易に引っ張り、きつく嵌まるコルゲートパイプアダプタを提供する。コルゲートパイプアダプタは、製造が安価である一方、充分な強度を備えている。
当業者による修正と置換は、特許請求の範囲以外に制約されない本発明の範囲内におけるものと考えられる。
【図面の簡単な説明】
【図１】  コルゲートパイプ部における、従来技術によるコルゲートパイプアダプタの断面図である。
【図２】  リブ付き導管に用いられた、従来技術によるガスケットアダプタの部分断面図である。
【図３】  本発明によるコルゲートパイプアダプタの断面図である。
【図４】  本発明の一実施例であるブーツとともに用いられたコルゲートパイプアダプタの断面図である。
【図５】  本発明の別の実施例である多数の突起又はリブを有する長いコルゲートパイプアダプタの断面図である。
【図６】  本発明の更に別の実施例である短いコルゲートパイプアダプタの断面図である。
【図７】  本発明のもう一つ別の実施例であるシール要素を有するコルゲートパイプアダプタの断面図である。
【図１】
0003701909.tif 000002
【図２】
0003701909.tif 000003
【図３】
0003701909.tif 000004
【図４】
0003701909.tif 000005
【図５】
0003701909.tif 000006
【図６】
0003701909.tif 000007
【図７】
0003701909.tif 000008